(57)【要約】メタン発酵槽を小型化しガス発生量を増大させコストを抑制できる、有機性排水の処理方法及びその処理装置を提供する。この処理方法は、生汚泥除去工程と生汚泥濃縮工程と生物処理工程と余剰汚泥分離工程と余剰汚泥濃縮工程と汚泥混合工程とメタン発酵処理工程とを含み、汚泥混合工程の前に、前記濃縮余剰汚泥を加熱して殺菌する殺菌工程を更に含み、生汚泥の発生量及び前記余剰汚泥の発生量の変動に応じ、（１）殺菌工程での濃縮余剰汚泥の加熱温度、（２）生汚泥濃縮工程での濃縮生汚泥の濃度及び／又は余剰汚泥濃縮工程での濃縮余剰汚泥の濃度、（３）汚泥混合工程における濃縮生汚泥と濃縮余剰汚泥との混合比の少なくとも１つを調整し、混合汚泥の温度がメタン発酵に適した温度に制御する。
2018042972.tif 000002
【特許請求の範囲】
【請求項１】
有機性廃水から生汚泥を除去する生汚泥除去工程と、
前記有機性廃水から除去された前記生汚泥を、所定濃度に濃縮して濃縮生汚泥とする生汚泥濃縮工程と、
前記生汚泥が除去された前記有機性廃水を生物処理する生物処理工程と、
生物処理後の処理液から余剰汚泥を分離する余剰汚泥分離工程と、
前記処理液から分離された前記余剰汚泥を、所定濃度に濃縮して濃縮余剰汚泥とする余剰汚泥濃縮工程と、
前記濃縮生汚泥と前記濃縮余剰汚泥とを混合して混合汚泥とする汚泥混合工程と、
前記混合汚泥をメタン発酵槽に供給してメタン発酵処理するメタン発酵処理工程とを含む有機性廃水の処理方法において、
前記汚泥混合工程の前に、前記濃縮余剰汚泥を加熱して殺菌する殺菌工程を更に含み、
前記生汚泥の発生量及び前記余剰汚泥の発生量の変動に応じて、（１）前記殺菌工程における前記濃縮余剰汚泥の加熱温度、（２）前記生汚泥濃縮工程における前記濃縮生汚泥の濃度及び／又は前記余剰汚泥濃縮工程における前記濃縮余剰汚泥の濃度、（３）前記汚泥混合工程における前記濃縮生汚泥と前記濃縮余剰汚泥との混合比、の少なくとも１つを調整して、前記混合汚泥の温度がメタン発酵に適した温度となるように制御することを特徴とする有機性排水の処理方法。
【請求項２】
前記制御は、前記殺菌工程における前記濃縮余剰汚泥の加熱温度を殺菌可能な範囲で定めた所定の温度に設定するステップＳ１と、前記混合汚泥の温度がメタン発酵に適した所定の温度となるように、前記濃縮生汚泥と濃縮余剰汚泥との混合比を設定するステップＳ２と、前記生汚泥の発生量及び前記余剰汚泥の発生量の変動に応じて、前記濃縮生汚泥と前記濃縮余剰汚泥との混合比が前記ステップＳ２で設定した混合比になるように、前記生汚泥濃縮工程における濃縮生汚泥の濃度及び／又は前記余剰汚泥濃縮工程における濃縮余剰汚泥の濃度を調整するステップＳ３とを含む、請求項１記載の有機廃水の処理方法。
【請求項３】
前記ステップＳ３の濃度の調整において、前記濃縮生汚泥の濃度及び／又は前記濃縮余剰汚泥の濃度の調整可能な範囲を超えた場合には、該濃度を調整可能な範囲で求められる値に近づくように調整する、請求項２記載の有機廃水の処理方法。
【請求項４】
前記ステップＳ３の濃度の調整において、前記濃縮生汚泥の濃度及び／又は前記濃縮余剰汚泥の濃度の調整可能な範囲を超えた場合には、前記ステップＳ１における前記濃縮余剰汚泥の加熱温度を殺菌可能な範囲で変更し、該加熱温度の変更に伴って前記ステップＳ２における前記濃縮生汚泥と前記濃縮余剰汚泥との混合比を再設定して、前記ステップＳ３の濃度の調整を可能とする、請求項２記載の有機廃水の処理方法。
【請求項５】
前記制御は、前記生汚泥の発生量と、前記余剰汚泥の発生量の変動に伴う、前記濃縮生汚泥と前記濃縮余剰汚泥との混合比を求めるステップＳ２１と、
前記変動した混合比において、前記混合汚泥の温度がメタン発酵に適した所定の温度になるように、前記濃縮汚泥の加熱温度を調整するステップＳ２２とを含む、請求項１記載の有機廃水の処理方法。
【請求項６】
前記ステップＳ２２において、前記濃縮余剰汚泥の加熱温度の調整可能な範囲を超えた場合には、前記濃縮生汚泥の濃度及び／又は前記濃縮余剰汚泥の濃度を変更して、前記ステップＳ２１における前記濃縮生汚泥と前記濃縮余剰汚泥との混合比を変えることにより、前記濃縮余剰汚泥の加熱温度の調整を可能とする、請求項５記載の有機廃水の処理方法。
【請求項７】
前記殺菌工程における前記濃縮余剰汚泥の加熱温度は、６０〜１６０℃の範囲で設定する、請求項１〜６のいずれか１項に記載の有機廃水の処理方法。
【請求項８】
前記殺菌工程における前記濃縮余剰汚泥の加熱温度は、平均温度が８０℃以上であって、局所的には９０〜１００℃となるように設定する、請求項１〜７のいずれか１項に記載の有機廃水の処理方法。
【請求項９】
前記混合汚泥の温度は、３０〜４０℃とされており、中温発酵に適応可能とされている、請求項１〜８のいずれか１項に記載の有機廃水の処理方法。
【請求項１０】
有機性廃水から生汚泥を除去する生汚泥除去手段と、
前記有機性廃水から除去された前記生汚泥を、所定濃度に濃縮して濃縮生汚泥とする生汚泥濃縮手段と、
前記生汚泥が除去された前記有機性廃水を生物処理する生物処理槽と、
生物処理後の処理液から余剰汚泥を分離する余剰汚泥分離手段と、
前記余剰汚泥を、所定濃度に濃縮して濃縮余剰汚泥とする余剰汚泥濃縮手段と、
前記濃縮生汚泥と前記濃縮余剰汚泥とを混合して混合汚泥とする汚泥混合槽と、
前記混合汚泥をメタン発酵処理するメタン発酵槽とを備えた有機性廃水の処理装置において、
前記余剰汚泥濃縮手段から取出された前記濃縮余剰汚泥を加熱して殺菌する加熱殺菌装置と、
前記生汚泥の発生量及び前記余剰汚泥の発生量の変動に応じて、（１）前記加熱殺菌装置による殺菌工程における前記濃縮余剰汚泥の加熱温度、（２）前記生汚泥濃縮手段による生汚泥濃縮工程における前記濃縮生汚泥の濃度及び／又は前記余剰汚泥濃縮手段による余剰汚泥濃縮工程における前記濃縮余剰汚泥の濃度、（３）前記汚泥混合槽による汚泥混合工程における前記濃縮生汚泥と前記濃縮余剰汚泥との混合比、の少なくとも１つを調整して、前記混合汚泥の温度がメタン発酵に適した温度となるように制御する制御装置とを有することを特徴とする有機性排水の処理装置。
【発明の詳細な説明】
【技術分野】
【０００１】
本発明は、下水等の有機性排水を生物処理すると共に、生物処理の前後で発生する生汚泥と余剰汚泥とを混合してメタン発酵処理する、有機性排水の処理方法及び有機性排水の処理装置に関する。
【背景技術】
【０００２】
下水等の有機性排水の処理方法としては、例えば、有機性排水から生汚泥（初沈汚泥）を取り除いて活性汚泥処理などの生物処理を行うと共に、生物処理後の処理液から余剰汚泥を取り除いて排水処理し、更に生汚泥と余剰汚泥とを混合してメタン発酵処理し、汚泥の減容化を図ることが行われている。【０００３】
ところで、生汚泥は、余剰汚泥に比べて易分解性の有機物を多く含有しているため、メタン発酵特性（消化率・消化ガス発生量、消化速度等）が良く、エネルギー回収効果が高いことからメタン発酵に適している。一方、余剰汚泥は、微生物細胞など難分解性セルロースやタンパク質を主成分としており、分解に時間を要する基質であるため、生汚泥に比べてエネルギー回収効果が低い。このような余剰汚泥の特性から、生汚泥と余剰汚泥との混合物をメタン発酵する際には、メタン発酵特性が悪化してエネルギー回収効率が低く、また、メタン発酵槽も長い滞留時間を得るために大きな槽となっていた。【０００４】
上記のような余剰汚泥の特性を改善するため、例えば、余剰汚泥に可溶化処理を施す技術が開発されている。下記特許文献１には、初沈汚泥除去工程と、活性汚泥処理工程と、余剰汚泥除去工程と、初沈汚泥及び余剰汚泥をメタン発酵処理するメタン発酵処理工程とを有し、余剰汚泥を６０〜９０℃で可溶化処理し、可溶化処理された余剰汚泥の熱を利用して初沈汚泥を加熱すると共に、初沈汚泥を３０〜４０℃で３〜４日酸発酵処理し、可溶化処理された余剰汚泥と、酸発酵処理された初沈汚泥とを混合して混合汚泥とし、混合汚泥をメタン発酵処理する、有機性廃水の処理方法が記載されている。
【先行技術文献】
【特許文献】
【０００５】
【特許文献１】特許第５４４１７８７号公報
【発明の概要】
【発明が解決しようとする課題】
【０００６】
しかしながら、上記特許文献１の有機性排水の処理方法のように、余剰汚泥を可溶化処理する場合には、可溶化のための設備が必要となるため、設備コストが増大すると共に、設備の維持管理のためのランニングコストもかかるというデメリットがあった。【０００７】
したがって、本発明の目的は、メタン発酵槽を小型化して、メタン発酵処理時のガス発生量を増大させると共に、設備コストやランニングコストを抑えることができる、有機性排水の処理方法及び有機性排水の処理装置を提供することにある。
【課題を解決するための手段】
【０００８】
上記目的を達成するため、本発明の一つは、有機性廃水から生汚泥を除去する生汚泥除去工程と、前記有機性廃水から除去された前記生汚泥を、所定濃度に濃縮して濃縮生汚泥とする生汚泥濃縮工程と、前記生汚泥が除去された前記有機性廃水を生物処理する生物処理工程と、生物処理後の処理液から余剰汚泥を分離する余剰汚泥分離工程と、前記処理液から分離された前記余剰汚泥を、所定濃度に濃縮して濃縮余剰汚泥とする余剰汚泥濃縮工程と、前記濃縮生汚泥と前記濃縮余剰汚泥とを混合して混合汚泥とする汚泥混合工程と、前記混合汚泥をメタン発酵槽に供給してメタン発酵処理するメタン発酵処理工程とを含む有機性廃水の処理方法において、前記汚泥混合工程の前に、前記濃縮余剰汚泥を加熱して殺菌する殺菌工程を更に含み、前記生汚泥の発生量及び前記余剰汚泥の発生量の変動に応じて、（１）前記殺菌工程における前記濃縮余剰汚泥の加熱温度、（２）前記生汚泥濃縮工程における前記濃縮生汚泥の濃度及び／又は前記余剰汚泥濃縮工程における前記濃縮余剰汚泥の濃度、（３）前記汚泥混合工程における前記濃縮生汚泥と前記濃縮余剰汚泥との混合比、の少なくとも１つを調整して、前記混合汚泥の温度がメタン発酵に適した温度となるように制御することを特徴とする。【０００９】
また、本発明のもう一つは、有機性廃水から生汚泥を除去する生汚泥除去手段と、前記有機性廃水から除去された前記生汚泥を、所定濃度に濃縮して濃縮生汚泥とする生汚泥濃縮手段と、前記生汚泥が除去された前記有機性廃水を生物処理する生物処理槽と、生物処理後の処理液から余剰汚泥を分離する余剰汚泥分離手段と、前記余剰汚泥を、所定濃度に濃縮して濃縮余剰汚泥とする余剰汚泥濃縮手段と、前記濃縮生汚泥と前記濃縮余剰汚泥とを混合して混合汚泥とする汚泥混合槽と、前記混合汚泥をメタン発酵処理するメタン発酵槽とを備えた有機性廃水の処理装置において、前記余剰汚泥濃縮手段から取出された前記濃縮余剰汚泥を加熱して殺菌する加熱殺菌装置と、前記生汚泥の発生量及び前記余剰汚泥の発生量の変動に応じて、（１）前記加熱殺菌装置による殺菌工程における前記濃縮余剰汚泥の加熱温度、（２）前記生汚泥濃縮手段による生汚泥濃縮工程における前記濃縮生汚泥の濃度及び／又は前記余剰汚泥濃縮手段による余剰汚泥濃縮工程における前記濃縮余剰汚泥の濃度、（３）前記汚泥混合槽による汚泥混合工程における前記濃縮生汚泥と前記濃縮余剰汚泥との混合比、の少なくとも１つを調整して、前記混合汚泥の温度がメタン発酵に適した温度となるように制御する制御装置とを有することを特徴とする。【００１０】
本発明によれば、濃縮余剰汚泥を加熱して殺菌することにより、混合汚泥をメタン発酵させる際に、濃縮余剰汚泥が微生物によって分解されやすくすることができ、メタン発酵に要する時間を短縮し、メタン発酵槽の容量を小さくすることができると共に、汚泥の分解率を向上し、消化ガスの発生量を大きくすることができる。【００１１】
また、濃縮余剰汚泥を加熱して殺菌した後、加温された濃縮余剰汚泥を濃縮生汚泥と混合することにより、混合汚泥がメタン発酵に適した温度となるようにするので、濃縮余剰汚泥の加熱殺菌に要した熱エネルギーを利用してメタン発酵を促進することができ、メタン発酵槽における加温を不要又は低減することができる。【００１２】
更に、生汚泥の発生量及び余剰汚泥の発生量が変動しても、（１）殺菌工程における濃縮余剰汚泥の加熱温度、（２）生汚泥濃縮工程における濃縮生汚泥の濃度及び／又は余剰汚泥濃縮工程における濃縮余剰汚泥の濃度、（３）汚泥混合工程における濃縮生汚泥と濃縮余剰汚泥との混合比、の少なくとも１つを制御することにより、混合汚泥の温度がメタン発酵に適した温度となるように維持することができる。【００１３】
本発明に係る有機性排水の処理方法においては、前記制御は、前記殺菌工程における前記濃縮余剰汚泥の加熱温度を殺菌可能な範囲で定めた所定の温度に設定するステップＳ１と、前記混合汚泥の温度がメタン発酵に適した所定の温度となるように、前記濃縮生汚泥と濃縮余剰汚泥との混合比を設定するステップＳ２と、前記生汚泥の発生量及び前記余剰汚泥の発生量の変動に応じて、前記濃縮生汚泥と前記濃縮余剰汚泥との混合比が前記ステップＳ２で設定した混合比になるように、前記生汚泥濃縮工程における濃縮生汚泥の濃度及び／又は前記余剰汚泥濃縮工程における濃縮余剰汚泥の濃度を調整するステップＳ３とを含むことが好ましい。【００１４】
この態様によれば、殺菌工程における濃縮余剰汚泥の加熱温度を設定し、混合汚泥の温度がメタン発酵に適した所定の温度となるように、濃縮生汚泥と濃縮余剰汚泥との混合比を決定し、生汚泥の発生量及び余剰汚泥の発生量の変動に応じて、生汚泥濃縮工程における濃縮生汚泥の濃度及び／又は余剰汚泥濃縮工程における濃縮余剰汚泥の濃度を調整して、濃縮生汚泥と濃縮余剰汚泥との混合比が前記混合比になるようにすることにより、生汚泥の発生量及び余剰汚泥の発生量が変動しても、混合汚泥の温度をメタン発酵に適した所定の温度に維持することができる。【００１５】
本発明に係る有機性排水の処理方法においては、前記ステップＳ３の濃度の調整において、前記濃縮生汚泥の濃度及び／又は前記濃縮余剰汚泥の濃度の調整可能な範囲を超えた場合には、該濃度を調整可能な範囲で求められる値に近づくように調整することが好ましい。【００１６】
この態様によれば、生汚泥の発生量及び余剰汚泥の発生量が大きく変動して、ステップＳ３の濃度の調整において、濃縮生汚泥の濃度及び／又は濃縮余剰汚泥の濃度の調整可能な範囲を超えた場合でも、混合汚泥の温度をメタン発酵に適した所定の温度にできる限り維持することができる。【００１７】
本発明に係る有機性排水の処理方法においては、前記ステップＳ３の濃度の調整において、前記濃縮生汚泥の濃度及び／又は前記濃縮余剰汚泥の濃度の調整可能な範囲を超えた場合には、前記ステップＳ１における前記濃縮余剰汚泥の加熱温度を殺菌可能な範囲で変更し、該加熱温度の変更に伴って前記ステップＳ２における前記濃縮生汚泥と前記濃縮余剰汚泥との混合比を再設定して、前記ステップＳ３の濃度の調整を可能とすることが好ましい。【００１８】
この態様によれば、生汚泥の発生量及び余剰汚泥の発生量が大きく変動して、ステップＳ３の濃度の調整において、濃縮生汚泥の濃度及び／又は濃縮余剰汚泥の濃度の調整可能な範囲を超えた場合でも、濃縮余剰汚泥の加熱温度を殺菌可能な範囲で変更し、該加熱温度の変更に伴ってステップＳ２における濃縮生汚泥と濃縮余剰汚泥との混合比を再設定することにより、ステップＳ３の濃度の調整を可能にして、混合汚泥の温度をメタン発酵に適した所定の温度に維持することができる。【００１９】
本発明に係る有機性排水の処理方法においては、前記制御は、前記生汚泥の発生量と、前記余剰汚泥の発生量の変動に伴う、前記濃縮生汚泥と前記濃縮余剰汚泥との混合比を求めるステップＳ２１と、前記変動した混合比において、前記混合汚泥の温度がメタン発酵に適した所定の温度になるように、前記濃縮汚泥の加熱温度を調整するステップＳ２２とを含むことが好ましい。【００２０】
この態様によれば、生汚泥の発生量と、余剰汚泥の発生量の変動に伴う、濃縮生汚泥と濃縮余剰汚泥との混合比の変動に基づいて、混合汚泥の温度がメタン発酵に適した所定の温度になるように、濃縮汚泥の加熱温度を調整することにより、生汚泥の発生量及び余剰汚泥の発生量が変動しても、混合汚泥の温度をメタン発酵に適した所定の温度に維持することができる。【００２１】
本発明に係る有機性排水の処理方法においては、前記ステップＳ２２において、前記濃縮余剰汚泥の加熱温度の調整可能な範囲を超えた場合には、前記濃縮生汚泥の濃度及び／又は前記濃縮余剰汚泥の濃度を変更して、前記ステップＳ２１における前記濃縮生汚泥と前記濃縮余剰汚泥との混合比を変えることにより、前記濃縮余剰汚泥の加熱温度の調整を可能とすることが好ましい。【００２２】
この態様によれば、生汚泥の発生量及び余剰汚泥の発生量が大きく変動して、ステップＳ２２において、濃縮余剰汚泥の加熱温度の調整可能な範囲を超えた場合でも、濃縮生汚泥の濃度及び／又は濃縮余剰汚泥の濃度を変更して、前記ステップＳ２１における前記濃縮生汚泥と前記濃縮余剰汚泥との混合比を変えることにより、濃縮余剰汚泥の加熱温度の調整を可能として、混合汚泥の温度をメタン発酵に適した所定の温度に維持することができる。【００２３】
本発明に係る有機性排水の処理方法においては、前記殺菌工程における前記濃縮余剰汚泥の加熱温度は、６０〜１６０℃の範囲で設定することが好ましい。【００２４】
本発明に係る有機性排水の処理方法においては、前記殺菌工程における前記濃縮余剰汚泥の加熱温度は、平均温度が８０℃以上であって、局所的には９０〜１００℃となるように設定することが好ましい。【００２５】
本発明に係る有機性排水の処理方法においては、前記混合汚泥の温度は、３０〜４０℃とされており、中温発酵に適応可能とされていることが好ましい。
【発明の効果】
【００２６】
本発明によれば、濃縮余剰汚泥を加熱して殺菌することにより、混合汚泥をメタン発酵させる際に、濃縮余剰汚泥が微生物によって分解されやすくすることができ、メタン発酵に要する時間を短縮し、メタン発酵槽の容量を小さくすることができると共に、汚泥の分解率を向上し、消化ガスの発生量を大きくすることができる。【００２７】
また、濃縮余剰汚泥を加熱して殺菌した後、加温された濃縮余剰汚泥を濃縮生汚泥と混合することにより、混合汚泥がメタン発酵に適した温度となるようにするので、濃縮余剰汚泥の加熱殺菌に要した熱エネルギーを利用してメタン発酵を促進することができ、メタン発酵槽における加温を不要又は低減することができる。
【図面の簡単な説明】
【００２８】
【図１】本発明に係る有機性排水の処理装置の概略説明図である。
【図２】本発明に係る有機性排水の処理方法における制御方法の１例を示すフロー図である。
【図３】同制御方法において、生汚泥又は濃縮余剰汚泥の濃度調整方法の例を示すフロー図である。
【図４】本発明に係る有機性排水の処理方法における制御方法の他の例を示すフロー図である。
【図５】本発明に係る有機性排水の処理方法における制御方法の更に他の例を示すフロー図である。
【発明を実施するための形態】
【００２９】
以下、図面を参照して、本発明に係る有機性排水の処理装置の一実施形態について説明する。
【００３０】
図１に示すように、この実施形態に係る有機性排水の処理装置（以下、単に「処理装置」ともいう）は、有機性排水から生汚泥を除去する生汚泥除去槽１０を有している。この生汚泥除去槽１０には、下水等の有機性排水の供給源から伸びた配管Ｌ１が接続されている。そして、生汚泥除去槽１０は、配管Ｌ１から供給された有機性排水中の繊維成分などの固形物を固液分離して、生汚泥（初沈汚泥）と、生汚泥が除去された有機性排水とに分離する。なお、生汚泥除去槽としては、有機性排水を固液分離可能であればよく、例えば、周知の重力沈殿槽等を利用することができ、また、沈殿槽ではなく、高速ろ過槽等を利用してもよく、特に限定はされない。この生汚泥除去槽１０が、本発明における「生汚泥除去手段」をなしている。
【００３１】
上記生汚泥除去槽１０には、配管Ｌ２を介して生汚泥濃縮機１５が接続されている。この生汚泥濃縮機１５は、生汚泥除去槽１０から配管Ｌ２を通して供給される、有機性排水から除去された生汚泥を、所定濃度に濃縮して濃縮生汚泥とする。この生汚泥濃縮機１５が、本発明における「生汚泥濃縮手段」をなしている。
【００３２】
また、この生汚泥濃縮機１５としては、例えば、重力を利用して生汚泥を沈めて濃くする重力濃縮槽を用いることができ、該重力濃縮槽の場合、汚泥の投入負荷や、薬注率（高分子凝集剤等の薬の注入量の比率を意味する。以下の説明でも同様）等の制御によって、単位時間当たりに得られる濃縮生汚泥の体積（Ｖ（ｘ’））を調整可能となっている。なお、生汚泥の濃縮方法としては、重力を利用する上記の重力濃縮以外にも、例えば、遠心濃縮、ベルト式ろ過濃縮、常圧浮上濃縮などの、機械濃縮を採用することもできる。遠心濃縮の場合は、遠心力や薬注率等の制御により、ベルト式ろ過濃縮の場合は、ベルトの回転数等の制御により、常圧浮上濃縮の場合は、気泡助剤の添加量等の制御によって、前記濃縮生汚泥の体積（Ｖ（ｘ’））を調整可能である。
【００３３】
更に、生汚泥除去槽１０には、配管Ｌ３を介して生物処理槽２０が接続されている。この生物処理槽２０は、生汚泥除去槽１０から配管Ｌ３を通して供給される、生汚泥が除去された有機性排水を生物処理する。生物処理槽２０としては、例えば空気を吹き込んで好気性微生物により有機物を分解する曝気槽などが用いられるが、有機物を分解処理できる方法であれば、特に限定はされない。
【００３４】
上記生物処理槽２０には、配管Ｌ４を介して汚泥分離槽２５が接続されている。この汚泥分離槽２５は、生物処理槽２０から配管Ｌ４を通して供給される、生物処理後の処理液から、汚泥と処理水とに固液分離する。この汚泥分離槽としては、重力沈降槽、膜分離装置等を利用することができ、生物処理後の処理液を、汚泥と処理水とに固液分離可能であれば特に限定はされない。
【００３５】
汚泥分離槽２５で汚泥を分離された処理水は、配管Ｌ５を介して系外に排出される。また、汚泥分離槽２５は、配管Ｌ７を介して生物処理槽２０に接続されると共に、配管Ｌ６を介して余剰汚泥濃縮機３０に接続されている。そして、汚泥分離槽２５で分離された汚泥の大部分は、配管Ｌ７を介して返送汚泥として生物処理槽２０に返送されるが、上記汚泥の一部は、余剰汚泥として、配管Ｌ６を介して余剰汚泥濃縮機３０に送られるようになっている。汚泥分離槽２５、配管Ｌ６が本発明における「余剰汚泥分離手段」をなしている。
【００３６】
余剰汚泥濃縮機３０は、余剰汚泥分離槽２５から配管Ｌ６を通して供給される余剰汚泥を、所定濃度に濃縮して濃縮余剰汚泥とする。この余剰汚泥濃縮機３０が、本発明における「余剰汚泥濃縮手段」をなしている。
【００３７】
余剰汚泥濃縮機３０としては、例えば網状のベルト上でろ過して濃くするベルト型濃縮機などが利用できる。このベルト型濃縮機では、ベルトの回転数（移動速度）によって余剰汚泥の濃度を調整して（ベルト式ろ過圧縮）、単位時間当たりに得られる濃縮余剰汚泥の体積（Ｖ（ｙ’））を調整可能となっている。なお、余剰汚泥の濃縮方法としては、上記のようなベルト式ろか濃縮以外にも、遠心濃縮や常圧浮上濃縮などの機械濃縮を用いてもよく、更に、重力を利用して余剰汚泥を沈めて濃くする重力濃縮を用いてもよい。前記遠心濃縮の場合は、遠心力や薬注率等の制御により、常圧浮上濃縮の場合は、気泡助剤の添加量等の制御により、また、前記重力濃縮の場合には、汚泥の投入負荷や薬注率等の制御によって、前記体積（Ｖ（ｙ’））を調整可能となっている。
【００３８】
また、生汚泥濃縮機１５は配管Ｌ８を介して汚泥混合槽３５に接続され、また、余剰汚泥濃縮機３０は配管Ｌ９を介して汚泥混合槽３５が接続されている。この汚泥混合槽３５は、生汚泥濃縮機１５から配管Ｌ８を介して供給される濃縮生汚泥と、余剰汚泥濃縮機３０から配管Ｌ９を介して供給される濃縮余剰汚泥とを混合して、混合汚泥とする。
【００３９】
上記汚泥混合槽３５は、配管Ｌ１０を介してメタン発酵槽４０に接続されている。このメタン発酵槽４０は、汚泥混合槽３５から配管Ｌ１０を通して供給される混合汚泥を、メタン菌等の嫌気性微生物の作用でメタン発酵処理（嫌気処理）して、メタンガス等の消化ガスに分解する。なお、このメタン発酵槽４０には、槽内の発酵液を攪拌する図示しない攪拌装置が配置されている。
【００４０】
また、この実施形態では、メタン発酵槽４０内に、嫌気性消化菌を担持する担体４１が配置されている。これによって、メタン発酵槽４０内での、混合汚泥の滞留時間（ＨＲＴ）を短くすることができるので、メタン発酵槽４０を小型化してその建設費を低減することができると共に、混合汚泥の消化率を向上させることができ、消化ガスの発生量を増加させることができる。なお、担体４１としては、メタン発酵槽４０内での混合汚泥の攪拌の邪魔とならないように、浮遊性のものであることが好ましい。
【００４１】
また、メタン発酵槽４０には、メタンガス等の消化ガスを引き抜くための配管Ｌ１２が接続されており、この消化ガスの一部を、後述する加熱殺菌装置５０の燃料として利用することができる。更にメタン発酵槽４０には、メタン発酵液を引き抜くための、配管Ｌ１３が接続されており、メタン発酵槽４０から引き抜かれたメタン発酵液は、図示しない汚泥処理系へと移送されて処理される。
【００４２】
そして、この処理装置は、余剰汚泥濃縮手段から取出された濃縮余剰汚泥を加熱して殺菌する加熱殺菌装置５０と、生汚泥の発生量及び余剰汚泥の発生量の変動に応じて、（１）加熱殺菌装置５０による殺菌工程における濃縮余剰汚泥の加熱温度、（２）生汚泥濃縮手段（生汚泥濃縮機１５）による生汚泥濃縮工程における濃縮生汚泥の濃度及び／又は余剰汚泥濃縮手段（余剰汚泥濃縮機３０）による余剰汚泥濃縮工程における濃縮余剰汚泥の濃度、（３）汚泥混合槽３５による汚泥混合工程における濃縮生汚泥と濃縮余剰汚泥との混合比、の少なくとも１つを調整して、混合汚泥の温度がメタン発酵に適した温度となるように制御する制御装置５５とを有している。
【００４３】
前記加熱殺菌装置５０としては、例えば、配管Ｌ９に蒸気を吹き込んだり、温水を放水したりする構造のものや、或いは、配管内や配管外周に配置可能な、チューブ式やプレート式やスパイラル式等の熱交換器を用いてもよく、配管Ｌ９を流れる濃縮余剰汚泥を加熱殺菌可能であればよい。また、加熱殺菌装置５０における、蒸気や温水、熱交換器の燃料源としては、メタン発酵槽４０から引き抜かれる消化ガスを利用してもよい。
【００４４】
この実施形態では、図１に示すように、余剰汚泥濃縮機３０と汚泥混合槽３５とを互いに接続する配管Ｌ９の途中に、加熱殺菌装置５０が配置されており、この加熱殺菌装置５０に制御装置５５が接続されている。
【００４５】
また、配管Ｌ８には、濃縮生汚泥の単位時間当たりの流量や温度を測定する図示しない計測器が設けられ、配管Ｌ９には、濃縮余剰汚泥の単位時間当たりの流量や加熱殺菌後の温度を測定する図示しない計測器が設けられている。なお、計測器により測定された流量や温度は、前記制御装置５５に送信されて、該制御装置５５が、これらの測定値と予め設定された設定値とを利用して、上述した（１）〜（３）の制御を実行可能となっている。
【００４６】
次に、本発明に係る有機性排水の処理方法について、上記構造をなした有機性排水の処理装置を用いた場合を例に挙げて説明する。
【００４７】
配管Ｌ１を通して供給される有機性排水は生汚泥除去槽１０に送られ、生汚泥除去槽１０にて有機性排水中の繊維成分などの固形物が沈降して生汚泥（初沈汚泥）として固液分離される（生汚泥除去工程）。
【００４８】
この生汚泥は、配管Ｌ２を通して生汚泥濃縮機１５に送られ、そこで濃縮されて濃縮生汚泥とされる（生汚泥濃縮工程）。濃縮生汚泥の濃度は、例えば、重力濃縮の場合は、汚泥の投入量や薬注率等の制御によって調整可能である。また、遠心濃縮、ベルト式ろ過濃縮、常圧浮上濃縮などの機械濃縮では、遠心濃縮の場合は遠心力や薬注率等の制御、ベルト式ろ過圧縮の場合はベルトの回転数等の制御、常圧浮上濃縮の場合は気泡助剤の添加量等の制御によって、調整可能であり、それによって単位時間当たりに得られる濃縮生汚泥の体積（Ｖ（ｘ’））が調整可能となっている。こうして得られた濃縮生汚泥は、配管Ｌ８を通して汚泥混合槽３５に送られる。
【００４９】
一方、生汚泥除去槽１０にて生汚泥を除去された有機性排水は、配管Ｌ３を通して生物処理槽２０に送られ、生物処理槽２０にて曝気処理などの生物処理がなされる。この生物処理によって、好気性微生物などにより有機性排水中の有機物が分解されると共に、微生物の菌体を主成分とする活性汚泥が形成される。
【００５０】
生物処理槽２０で有機物の分解処理がなされた処理液は、配管Ｌ４を通して汚泥分離槽２５に送られ、そこで汚泥を分離される。汚泥を分離された処理液は、配管Ｌ５を通して系外に排出される。
【００５１】
汚泥分離槽２５で分離された汚泥の大部分は、配管Ｌ７を通して生物処理槽２０に返送汚泥として返送される。一方、汚泥分離槽２５で分離された汚泥の一部は、余剰汚泥として配管Ｌ６を通して余剰汚泥濃縮機３０に送られる（余剰汚泥分離工程）。
【００５２】
そして、余剰汚泥濃縮機３０に送られた余剰汚泥は、そこで濃縮されて濃縮余剰汚泥とされる（余剰汚泥濃縮工程）。濃縮余剰汚泥の濃度は、例えば、ベルト式ろ過圧縮の場合には、ベルトの回転数（移動速度）によって余剰汚泥の濃度を調整して、単位時間当たりに得られる濃縮余剰汚泥の体積（Ｖ（ｙ’））を調整可能となっている。また、上記のようなベルト式ろか濃縮以外の、遠心濃縮や常圧浮上濃縮などの機械濃縮を用いてもよく、更に、重力を利用して余剰汚泥を沈めて濃くする重力濃縮を用いてもよい。前記遠心濃縮の場合は、遠心力や薬注率等の制御により、常圧浮上濃縮の場合は、気泡助剤の添加量等の制御により、また、前記重力濃縮の場合には、汚泥の投入負荷や薬注率等の制御によって、前記体積（Ｖ（ｙ’））を調整可能となっている。
【００５３】
余剰汚泥濃縮機３０で濃縮された濃縮余剰汚泥は、配管Ｌ９を通して加熱殺菌装置５０に送られ、そこで加熱殺菌される（殺菌工程）。
【００５４】
殺菌工程における濃縮余剰汚泥の加熱温度は、６０〜１６０℃の範囲で設定されることが好ましく、６０〜１００℃の範囲で設定されることがより好ましい。濃縮余剰汚泥の加熱温度が６０℃未満の場合は、濃縮余剰汚泥の殺菌が不十分となりやすく、濃縮余剰汚泥の加熱温度が１６０℃を超えると、殺菌工程におけるエネルギーが過大になる。
【００５５】
また、殺菌工程における濃縮余剰汚泥の加熱温度は、平均温度が８０℃以上であって、局所的には９０〜１００℃となるように設定することが好ましい。
【００５６】
更に、殺菌工程における濃縮余剰汚泥の加熱温度及び加熱時間は、（ａ）１２０〜１６０℃で１〜５秒、（ｂ）７５〜８５℃で１５〜２０分、（ｃ）６３〜６５℃で３０分、の中から選ばれたいずれかの条件であることが好ましい。
【００５７】
また、メタン発酵により発生した消化ガスを、加熱殺菌のための燃料源として、濃縮余剰汚泥を加熱殺菌することができ、それによってエネルギーの追加投入が不要となるという効果が得られる。
【００５８】
殺菌された濃縮余剰汚泥は、配管Ｌ９を通して汚泥混合槽３５に送られて、配管Ｌ８を通して送られてくる濃縮生汚泥と混合され、混合汚泥が形成される（汚泥混合工程）。混合汚泥の温度は、濃縮生汚泥と濃縮余剰汚泥の混合比や、濃縮余剰汚泥の加熱殺菌温度によって調整することができる。
【００５９】
汚泥混合工程における濃縮生汚泥と濃縮余剰汚泥との混合比は、例えば、殺菌工程における濃縮余剰汚泥の加熱温度が６０℃の場合には、濃縮生汚泥：濃縮余剰汚泥＝１：１〜３：１であることが好ましく、同加熱温度が８０℃の場合には、濃縮生汚泥：濃縮余剰汚泥＝２：１〜５：１であることが好ましく、同加熱温度が１２０℃の場合には、濃縮生汚泥：濃縮余剰汚泥＝４：１〜９：１であることが好ましい。
【００６０】
制御装置５５は、生汚泥の発生量及び余剰汚泥の発生量の変動に応じて、（１）殺菌工程における濃縮余剰汚泥の加熱温度、（２）生汚泥濃縮工程における濃縮生汚泥の濃度及び／又は余剰汚泥濃縮工程における濃縮余剰汚泥の濃度、（３）汚泥混合工程における濃縮生汚泥と濃縮余剰汚泥との混合比、の少なくとも１つを調整して、混合汚泥の温度がメタン発酵に適した温度となるように制御する。
【００６１】
また、上述した殺菌工程における濃縮余剰汚泥の加熱温度や、汚泥混合工程における濃縮生汚泥と濃縮余剰汚泥との混合比により、混合された混合汚泥は、特に、その発酵温度が３０〜４０℃の中温発酵に適応可能であることが好ましい。
【００６２】
そして、以上説明した処理方法によれば、濃縮余剰汚泥を加熱して殺菌することにより、混合汚泥をメタン発酵させる際に、濃縮余剰汚泥が微生物によって分解されやすくすることができ、それによってメタン発酵に要する時間（滞留時間：ＨＲＴ）を短縮し、メタン発酵槽の容量を小さくすることができると共に、汚泥の分解率を向上させ、消化ガスの発生量を大きくすることができる。
【００６３】
また、メタン発酵槽の小型化を図ることができるので、設備コストを削減することができる。なお、濃縮余剰汚泥を加熱殺菌する設備（加熱殺菌装置）が必要となるが、これについては、従来技術で必要であった余剰汚泥を可溶化するための設備に比べて、コンパクトにすることができ、更に加熱温度が高い場合（後述するが１００〜１６０℃等）には、その加熱時間は数秒でよいため、配管内で加熱工程を実施することも可能であり、設備コストの低減を図ることができる。
【００６４】
また、濃縮余剰汚泥を加熱して殺菌した後、加温された濃縮余剰汚泥を濃縮生汚泥と混合することにより、混合汚泥がメタン発酵に適した温度となるようにするので、濃縮余剰汚泥の加熱殺菌に要した熱エネルギーを利用してメタン発酵を促進することができ、メタン発酵槽における加温を不要又は低減することができ、ランニングコストを低減することができる。
【００６５】
本発明の好ましい態様においては、メタン発酵処理工程において、メタン発酵槽４０への加温は行わないようにする。この態様によれば、濃縮余剰汚泥の加熱殺菌に要した熱エネルギーを利用してメタン発酵を促進し、メタン発酵槽への加温をしないことにより、メタン発酵により得られるエネルギーの消費を抑制して、他の用途に利用できるエネルギー量を増大させることができる。
【００６６】
また、生汚泥の発生量及び余剰汚泥の発生量が変動しても、（１）殺菌工程における濃縮余剰汚泥の加熱温度、（２）生汚泥濃縮工程における濃縮生汚泥の濃度及び／又は余剰汚泥濃縮工程における濃縮余剰汚泥の濃度、（３）汚泥混合工程における濃縮生汚泥と濃縮余剰汚泥との混合比、の少なくとも１つを制御することにより、混合汚泥の温度がメタン発酵に適した温度となるように維持することができる。
【００６７】
次に、制御装置５５による制御方法の一例について、図２，３を参照して説明する。この方法は、図２に示すように、殺菌工程における濃縮余剰汚泥の加熱温度を殺菌可能な範囲で定めた所定の温度に設定するステップＳ１と、混合汚泥の温度がメタン発酵に適した所定の温度となるように、濃縮生汚泥と濃縮余剰汚泥との混合比を設定するステップＳ２と、生汚泥の発生量及び余剰汚泥の発生量の変動に応じて、濃縮生汚泥と濃縮余剰汚泥との混合比がステップＳ２で設定した混合比になるように、生汚泥濃縮工程における濃縮生汚泥の濃度及び／又は余剰汚泥濃縮工程における濃縮余剰汚泥の濃度を調整するステップＳ３とを含むものである。
【００６８】
ステップＳ３において、生汚泥濃縮工程における濃縮生汚泥の濃度を調整する場合の方法について、生汚泥濃縮機１５としてベルト型濃縮機を用いた場合の一例によって説明すると、図３（ａ）に示すように、まず、ステップＳ４にて、得られる濃縮生汚泥の単位時間当たりの体積（言い換えると、配管Ｌ８を流れる濃縮生汚泥の単位時間当たりの流量）Ｖ（ｘ’）と、その目標値Ａとを比較して、Ｖ（ｘ’）＞目標値Ａの場合は、ステップＳ５にて、生汚泥濃縮機１５の図示しないベルト型濃縮機の回転数ｅをｅ−１にする。そして、ステップＳ６にて再び目標値Ａと比較し、目標値Ａに到達していれば終了し、到達していなければ再びステップＳ４に戻って、ステップＳ５を通って回転数を更に減少させ、ステップＳ６にて目標値Ａに到達した否かをみる。この操作を繰り返して、Ｖ（ｘ’）をＡ値に到達させて終了することができる。
【００６９】
また、ステップＳ４において、Ｖ（ｘ’）＜目標値Ａの場合は、ステップＳ７にて、生汚泥濃縮機１５の図示しないベルト型濃縮機の回転数ｅをｅ＋１にする。そして、ステップＳ６にて再び目標値Ａと比較し、目標値Ａに到達していれば終了し、到達していなければ再びステップＳ４に戻って、ステップＳ７を通って回転数を更に増大させ、ステップＳ６にて目標値Ａに到達した否かをみる。この操作を繰り返して、Ｖ（ｘ’）をＡ値に到達させて終了することができる。
【００７０】
なお、ステップＳ４において、Ｖ（ｘ’）＝目標値Ａの場合は、ステップＳ８、Ｓ６を経て目標値Ａに到達していることを確認して終了する。
【００７１】
次に、ステップＳ３において、余剰汚泥濃縮工程における濃縮余剰汚泥の濃度を調整する場合の方法について、余剰汚泥濃縮機３０としてベルト型濃縮機を用いた場合の一例によって説明すると、図３（ｂ）に示すように、まず、ステップＳ９にて、得られる濃縮余剰汚泥の単位時間当たりの体積（言い換えると、配管Ｌ９を流れる濃縮余剰汚泥の単位時間当たりの流量）Ｖ（ｙ’）と、その目標値Ｂとを比較して、Ｖ（ｙ’）＞目標値Ｂの場合は、ステップＳ１０にて、余剰汚泥濃縮機３０の図示しないベルト型濃縮機の回転数ｆをｆ−１にする。そして、ステップＳ１１にて再び目標値Ｂと比較し、目標値Ｂに到達していれば終了し、到達していなければ再びステップＳ９に戻って、ステップＳ１０を通って回転数を更に減少させ、ステップＳ１１にて目標値Ｂに到達したか否かをみる。この操作を繰り返して、Ｖ（ｙ’）をＢ値に到達させて終了することができる。
【００７２】
また、ステップＳ９において、Ｖ（ｙ’）＜目標値Ｂの場合は、ステップＳ１２にて、余剰汚泥濃縮機３０の図示しないベルト型濃縮機の回転数ｆをｆ＋１にする。そして、ステップＳ１１にて再び目標値Ｂと比較し、目標値Ｂに到達していれば終了し、到達していなければ再びステップＳ９に戻って、ステップＳ１２を通って回転数を更に増大させ、ステップＳ１１にて目標値Ｂに到達したか否かをみる。この操作を繰り返して、Ｖ（ｙ’）をＢ値に到達させて終了することができる。
【００７３】
なお、ステップＳ９において、Ｖ（ｙ’）＝目標値Ｂの場合は、ステップＳ１３、Ｓ１１を経て目標値Ａに到達していることを確認して終了する。
【００７４】
この態様によれば、殺菌工程における濃縮余剰汚泥の加熱温度を設定し、混合汚泥の温度がメタン発酵に適した所定の温度となるように、濃縮生汚泥と濃縮余剰汚泥との混合比を決定し、生汚泥の発生量及び余剰汚泥の発生量の変動に応じて、生汚泥濃縮工程における濃縮生汚泥の濃度及び／又は余剰汚泥濃縮工程における濃縮余剰汚泥の濃度を調整して、濃縮生汚泥と濃縮余剰汚泥との混合比が前記混合比になるようにすることにより、生汚泥の発生量及び余剰汚泥の発生量が変動しても、混合汚泥の温度をメタン発酵に適した所定の温度に維持することができる。
【００７５】
なお、図３（ａ），（ｂ）で説明した、濃縮生汚泥及び濃縮余剰汚泥を目標値Ａ，Ｂに調整する手段としては、上記のように生汚泥濃縮機１５の撹拌装置や余剰汚泥濃縮機３０のベルト型濃縮機の回転数を増減させる方法のみならず、高分子凝集剤等の薬の注入量の比率（薬注率）を増減させることによって行ってもよい。
【００７６】
図４には、上記制御方法を更に改良した例が示されている。この方法では、ステップＳ３にて求められた濃縮生汚泥及び／又は濃縮余剰汚泥の濃度が、調整可能な範囲であるか否かをステップＳ１４にて判断する。そして、ステップＳ３にて求められた濃縮生汚泥及び／又は濃縮余剰汚泥の濃度が、調整可能な範囲を超えている場合には、ステップＳ１に戻って濃縮余剰汚泥の殺菌温度を変えて再設定する。そして、再設定された温度に基づいて、ステップＳ２にて濃縮生汚泥と濃縮余剰汚泥との混合比を求め、ステップＳ３でその混合比になるように濃縮生汚泥及び／又は濃縮余剰汚泥の濃度を調整する。そして、ステップＳ１４にて、上記濃度が調整可能な範囲を超えているかどうかを再度判断し、なおかつ調整可能な範囲を超えている場合には、ステップＳ１に戻って再度濃縮余剰汚泥の殺菌温度を変えて再設定し、上記ステップを繰り返す。そして、ステップＳ１４にて、濃縮生汚泥及び／又は濃縮余剰汚泥の濃度が調整可能な範囲であることを確認したら終了する。
【００７７】
この態様によれば、濃縮生汚泥及び／又は濃縮余剰汚泥の濃度が調整可能な範囲を超えても、濃縮余剰汚泥の殺菌温度を変えて再設定することにより、濃縮生汚泥及び／又は濃縮余剰汚泥の濃度が調整可能な範囲となるように調整することができ、生汚泥の発生量及び余剰汚泥の発生量が大きく変動しても、混合汚泥の温度がメタン発酵に適した温度となるように維持することができる。
【００７８】
なお、上記態様において、ステップＳ１４において、濃縮生汚泥及び／又は濃縮余剰汚泥の濃度が調整可能な範囲を超えていると判断されたときに、該濃度を調整可能な範囲で求められる値にできるだけ近づくように調整して終了することもできる。
【００７９】
図５には、制御装置５５による制御方法の更に他の例が示されている。この方法では、ステップＳ２１において、生汚泥の発生量及び／又は余剰汚泥の発生量の変動に伴う、濃縮生汚泥と濃縮余剰汚泥との混合比を求める。すなわち、生汚泥の発生量及び／又は余剰汚泥の発生量が変動すると、生汚泥濃縮機１５で得られる濃縮生汚泥の単位時間当たりの体積や、余剰汚泥濃縮機３０で得られる濃縮余剰汚泥の単位時間当たりの体積が変動し、濃縮生汚泥と濃縮余剰汚泥との混合比が変わってくるので、その混合比を求める。
【００８０】
そして、ステップＳ２２において、変化した混合比に合わせて、混合汚泥の温度がメタン発酵に適した温度となるように、濃縮余剰汚泥の加熱殺菌温度を設定する。
【００８１】
この状態で制御を終了させてもよいが、この例では、更に、ステップＳ２３にて、上記加熱殺菌温度が調整可能な範囲を超えたか否かを判断する。そして、加熱殺菌温度が調整可能な範囲を超えている場合は、ステップＳ２４にて、濃縮生汚泥及び／又は濃縮余剰汚泥の濃度を調整し、ステップＳ２１に戻って、再度濃縮生汚泥と濃縮余剰汚泥との混合比を求め、ステップＳ２２にて加熱殺菌温度を再設定し、ステップＳ２３にて加熱殺菌温度が調整可能な範囲を超えたか否かを判断する。この操作を繰り返すことにより、加熱殺菌温度を調整可能な範囲とすることができる。
【００８２】
なお、本発明は、上述した実施形態に限定されるものではなく、本発明の要旨の範囲内で、各種の変形実施形態が可能であり、そのような実施形態も本発明の範囲に含まれる。
【実施例１】
【００８３】
以下、シミュレーションによって本発明の効果を確認した。なお、シミュレーションソフトとしては、Ｈｙｄｒｏｍａｎｔｉｓ  Ｅｎｖｉｒｏｎｍｅｎｔａｌ  Ｓｏｆｔｗａｒｅ  Ｓｏｌｕｔｉｏｎｓ社製のソフトウェア「ＧＰＳ−Ｘ６．４」を用いた。【００８４】
＜汚泥性状の条件＞【００８５】
生汚泥及び余剰汚泥として、下記表１に示される条件のものを用いた。
【表１】
2018042972.tif 000003
【００８６】
なお、上記表１中、（ｇＳＳ／ｍ3）の「ＳＳ」は浮遊物質量であり、懸濁している不溶解性物質のことをいう。また、（ｇＳＳ／ｍ3）は、汚泥１ｍ3当たりの浮遊物質の質量（ｇ）を意味する。更に、（ｇＶＳＳ／ｍ3）の「ＶＳＳ」は、ＳＳの強熱減量であり、ＳＳを強熱したときに揮発する物質（主として有機物）のことをいう。また、（ｇＶＳＳ／ｍ3）は、汚泥１ｍ3当たりの有機物の質量（ｇ）を意味する。【００８７】
＜実施例１＞【００８８】
図１に示す有機性排水の処理装置において、メタン発酵槽４０として、微生物の担体４１を有さないものを用いて処理を行った。生汚泥除去槽１０から分離される生汚泥、生汚泥濃縮機１５で濃縮される濃縮生汚泥、汚泥分離槽２５から分離される余剰汚泥、余剰汚泥濃縮機３０で濃縮される濃縮余剰汚泥の性状は、表１に示される通りである。【００８９】
濃縮余剰汚泥を加熱殺菌装置５０により８０℃で加熱殺菌し、濃縮生汚泥と、濃縮余剰汚泥とを体積比で３：１となるように汚泥混合槽３５に導入して混合し、混合汚泥の温度を３５℃とした。この混合汚泥を容量９０００ｍ3のメタン発酵槽４０に導入し、２０日間メタン発酵を行った。この場合に発生する消化ガス量、メタン濃度、消化率を、前記シミュレーションソフトによってシミュレーションし、下記表２に示される結果を得た。【００９０】
なお、濃縮生汚泥の温度が２０℃で、混合汚泥の目標温度が３５℃の場合、濃縮余剰汚泥の加熱殺菌温度をＴ（℃）とし、濃縮生汚泥の１日当たりの体積をＶ（ｘ’）とし、濃縮余剰汚泥の１日当たりの体積をＶ（ｙ’）としたとき、これらの関係は、下記数式によって求めることができる。なお、下記数式において「１５」という値は、目標とする混合汚泥の温度（３５℃）から、濃縮生汚泥の温度（２０℃）を引くことによって求められる係数である。
【数１】
2018042972.tif 000004
【００９１】
上記実施例１の場合、Ｖ（ｘ’）が３４５ｍ3／ｄ、Ｖ（ｙ’）が１１５ｍ3／ｄであるため、余剰汚泥の加熱殺菌温度は、Ｔ＝１５×（３４５／１１５）＋３５＝８０℃となる。【００９２】
＜実施例２＞
図１に示す有機性排水の処理装置において、メタン発酵槽４０として、微生物の担体４１を有するものを用いて処理を行った。その他の条件は、実施例１と同じである。この場合に発生する消化ガス量、メタン濃度、消化率を前記シミュレーションソフトによってシミュレーションし、下記表２に示される結果を得た。【００９３】
＜比較例＞
図１に示す有機性排水の処理装置において、加熱殺菌装置５０を有さず、メタン発酵槽４０を加温するタイプの従来の処理装置を用いて処理を行った。生汚泥除去槽１０から分離される生汚泥、生汚泥濃縮機１５で濃縮される濃縮生汚泥、汚泥分離槽２５から分離される余剰汚泥、余剰汚泥濃縮機３０で濃縮される濃縮汚泥の性状は、表１に示される通りである。【００９４】
濃縮余剰汚泥を加熱殺菌することなく、濃縮生汚泥と、濃縮余剰汚泥とを体積比で３：２となるように汚泥混合槽３５に導入して混合した。この混合汚泥を容量１４０００ｍ3のメタン発酵槽４０に導入し、メタン発酵槽４０にて混合汚泥の温度が３５℃となるように加温して、２５日間メタン発酵を行った。この場合に発生する消化ガス量、メタン濃度、消化率を前記シミュレーションソフトによってシミュレーションし、下記表２に示される結果を得た。
【表２】
2018042972.tif 000005
【００９５】
上記表２に示すように、実施例１においては、比較例と比べて、ガス発生量が２５％増加すると共に、メタン発酵槽の槽容量も３６％減少することが分かった。また、メタン発酵槽に担体を配置した実施例２においては、比較例と比べて、ガス発生量が２９％増加すると共に、メタン発酵槽の槽容量も３６％減少することが分かった。【００９６】
＜濃縮生汚泥と濃縮余剰汚泥との混合比＞【００９７】
濃縮余剰汚泥の加熱温度を１２０℃、８０℃、６０℃に設定した場合に、混合汚泥の温度がメタン発酵に適した３５±５℃となるようにするための、濃縮生汚泥と濃縮余剰汚泥との混合比率（体積比）を求めた。この結果を下記表３に示す。
【表３】
2018042972.tif 000006
【００９８】
＜生汚泥や余剰汚泥の発生量の変動に対するシミュレーション＞【００９９】
生汚泥や余剰汚泥の発生量は、下水処理場への流入水質等により変動する。そこで、濃縮生汚泥や濃縮余剰汚泥の濃度を調整することで、濃縮生汚泥と濃縮余剰汚泥の混合比率を、上記表３のようにできるか否かを確認した。【０１００】
すなわち、濃縮生汚泥の発生量（Ｖ（ｘ））を一定とすると共に（１０００ｍ3／ｄ）、濃度（Ｃ（ｘ））を一定とした場合において（１％）、余剰汚泥の発生量（Ｖ（ｙ））や濃度（Ｃ（ｙ））が変動したときに、濃縮生汚泥の濃度（Ｃ（ｘ’））や、濃縮余剰汚泥の濃度（Ｃ（ｙ’））を、どのように調整すれば、例えば、濃縮余剰汚泥の加熱温度が８０℃である場合において、濃縮生汚泥と濃縮余剰汚泥の混合比率が９：３となるか確認した。この濃度調整も、その濃度調整の例を、下記表４に示す。【０１０１】
【表４】
2018042972.tif 000007
【０１０２】
上記表４に示すように、例１では、濃縮生汚泥を２．９％、濃縮余剰汚泥を７．８％、例２では、濃縮生汚泥を２．９％、濃縮余剰汚泥を５．２％、例３では、濃縮生汚泥を４．３％、濃縮余剰汚泥を５．２％に調整することで、濃縮生汚泥と濃縮余剰汚泥の混合比率を９：３に調整できることを確認できた。
【符号の説明】
【０１０３】
１０  生汚泥除去槽
１５  生汚泥濃縮機
２０  生物処理槽
２５  汚泥分離槽
３０  余剰汚泥濃縮機
３５  汚泥混合槽
４０  メタン発酵槽
４１  担体
５０  加熱殺菌装置
５５  制御装置
Ｌ１〜Ｌ１３  配管
【図１】
2018042972.tif 000008
【図２】
2018042972.tif 000009
【図３】
2018042972.tif 000010
【図４】
2018042972.tif 000011
【図５】
2018042972.tif 000012
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
有機性廃水から生汚泥を除去する生汚泥除去工程と、
前記有機性廃水から除去された前記生汚泥を、所定濃度に濃縮して濃縮生汚泥とする生汚泥濃縮工程と、
前記生汚泥が除去された前記有機性廃水を生物処理する生物処理工程と、
生物処理後の処理液から余剰汚泥を分離する余剰汚泥分離工程と、
前記処理液から分離された前記余剰汚泥を、所定濃度に濃縮して濃縮余剰汚泥とする余剰汚泥濃縮工程と、
前記濃縮生汚泥と前記濃縮余剰汚泥とを混合して混合汚泥とする汚泥混合工程と、
前記混合汚泥をメタン発酵槽に供給してメタン発酵処理するメタン発酵処理工程とを含む有機性廃水の処理方法において、
前記汚泥混合工程の前に、前記濃縮余剰汚泥を加熱して殺菌する殺菌工程を更に含み、
前記生汚泥の発生量及び前記余剰汚泥の発生量の変動に応じて、（１）前記殺菌工程における前記濃縮余剰汚泥の加熱温度、（２）前記生汚泥濃縮工程における前記濃縮生汚泥の濃度及び／又は前記余剰汚泥濃縮工程における前記濃縮余剰汚泥の濃度、（３）前記汚泥混合工程における前記濃縮生汚泥と前記濃縮余剰汚泥との混合比、の少なくとも１つを調整して、前記混合汚泥の温度がメタン発酵に適した温度となるように制御することを特徴とする有機性排水の処理方法。
【請求項２】
前記制御は、前記殺菌工程における前記濃縮余剰汚泥の加熱温度を殺菌可能な範囲で定めた所定の温度に設定するステップＳ１と、前記混合汚泥の温度がメタン発酵に適した所定の温度となるように、前記濃縮生汚泥と濃縮余剰汚泥との混合比を設定するステップＳ２と、前記生汚泥の発生量及び前記余剰汚泥の発生量の変動に応じて、前記濃縮生汚泥と前記濃縮余剰汚泥との混合比が前記ステップＳ２で設定した混合比になるように、前記生汚泥濃縮工程における濃縮生汚泥の濃度及び／又は前記余剰汚泥濃縮工程における濃縮余剰汚泥の濃度を調整するステップＳ３とを含む、請求項１記載の有機廃水の処理方法。 
【請求項３】
前記ステップＳ３の濃度の調整において、前記濃縮生汚泥の濃度及び／又は前記濃縮余剰汚泥の濃度の調整可能な範囲を超えた場合には、該濃度を調整可能な範囲で求められる値に近づくように調整する、請求項２記載の有機廃水の処理方法。
【請求項４】
前記ステップＳ３の濃度の調整において、前記濃縮生汚泥の濃度及び／又は前記濃縮余剰汚泥の濃度の調整可能な範囲を超えた場合には、前記ステップＳ１における前記濃縮余剰汚泥の加熱温度を殺菌可能な範囲で変更し、該加熱温度の変更に伴って前記ステップＳ２における前記濃縮生汚泥と前記濃縮余剰汚泥との混合比を再設定して、前記ステップＳ３の濃度の調整を可能とする、請求項２記載の有機廃水の処理方法。
【請求項５】
前記制御は、前記生汚泥の発生量と、前記余剰汚泥の発生量の変動に伴う、前記濃縮生汚泥と前記濃縮余剰汚泥との混合比を求めるステップＳ２１と、
前記変動したステップＳ２１で求めた混合比において、前記混合汚泥の温度がメタン発酵に適した所定の温度になるように、前記濃縮余剰汚泥の加熱温度を調整するステップＳ２２とを含む、請求項１記載の有機廃水の処理方法。
【請求項６】
前記ステップＳ２２において、前記濃縮余剰汚泥の加熱温度の調整可能な範囲を超えた場合には、前記濃縮生汚泥の濃度及び／又は前記濃縮余剰汚泥の濃度を変更して、前記ステップＳ２１における前記濃縮生汚泥と前記濃縮余剰汚泥との混合比を変えることにより、前記濃縮余剰汚泥の加熱温度の調整を可能とする、請求項５記載の有機廃水の処理方法。
【請求項７】
前記殺菌工程における前記濃縮余剰汚泥の加熱温度は、６０〜１６０℃の範囲で設定する、請求項１〜６のいずれか１項に記載の有機廃水の処理方法。
【請求項８】
前記殺菌工程における前記濃縮余剰汚泥の加熱温度は、平均温度が８０℃以上であって、局所的には９０〜１００℃となるように設定する、請求項１〜７のいずれか１項に記載の有機廃水の処理方法。
【請求項９】
前記混合汚泥の温度は、３０〜４０℃とされており、中温発酵に適応可能とされている、請求項１〜８のいずれか１項に記載の有機廃水の処理方法。
【請求項１０】
有機性廃水から生汚泥を除去する生汚泥除去手段と、
前記有機性廃水から除去された前記生汚泥を、所定濃度に濃縮して濃縮生汚泥とする生汚泥濃縮手段と、
前記生汚泥が除去された前記有機性廃水を生物処理する生物処理槽と、
生物処理後の処理液から余剰汚泥を分離する余剰汚泥分離手段と、
前記余剰汚泥を、所定濃度に濃縮して濃縮余剰汚泥とする余剰汚泥濃縮手段と、
前記濃縮生汚泥と前記濃縮余剰汚泥とを混合して混合汚泥とする汚泥混合槽と、
前記混合汚泥をメタン発酵処理するメタン発酵槽とを備えた有機性廃水の処理装置において、
前記余剰汚泥濃縮手段から取出された前記濃縮余剰汚泥を加熱して殺菌する加熱殺菌装置と、
前記生汚泥の発生量及び前記余剰汚泥の発生量の変動に応じて、（１）前記加熱殺菌装置による殺菌工程における前記濃縮余剰汚泥の加熱温度、（２）前記生汚泥濃縮手段による生汚泥濃縮工程における前記濃縮生汚泥の濃度及び／又は前記余剰汚泥濃縮手段による余剰汚泥濃縮工程における前記濃縮余剰汚泥の濃度、（３）前記汚泥混合槽による汚泥混合工程における前記濃縮生汚泥と前記濃縮余剰汚泥との混合比、の少なくとも１つを調整して、前記混合汚泥の温度がメタン発酵に適した温度となるように制御する制御装置とを有することを特徴とする有機性排水の処理装置。
【手続補正２】
【補正対象書類名】明細書
【補正対象項目名】００１９
【補正方法】変更
【補正の内容】
【００１９】
本発明に係る有機性排水の処理方法においては、前記制御は、前記生汚泥の発生量と、前記余剰汚泥の発生量の変動に伴う、前記濃縮生汚泥と前記濃縮余剰汚泥との混合比を求めるステップＳ２１と、前記変動した混合比において、前記混合汚泥の温度がメタン発酵に適した所定の温度になるように、前記濃縮余剰汚泥の加熱温度を調整するステップＳ２２とを含むことが好ましい。
【手続補正３】
【補正対象書類名】明細書
【補正対象項目名】００２０
【補正方法】変更
【補正の内容】
【００２０】
この態様によれば、生汚泥の発生量と、余剰汚泥の発生量の変動に伴う、濃縮生汚泥と濃縮余剰汚泥との混合比の変動に基づいて、混合汚泥の温度がメタン発酵に適した所定の温度になるように、濃縮余剰汚泥の加熱温度を調整することにより、生汚泥の発生量及び余剰汚泥の発生量が変動しても、混合汚泥の温度をメタン発酵に適した所定の温度に維持することができる。
【手続補正４】
【補正対象書類名】明細書
【補正対象項目名】００９１
【補正方法】変更
【補正の内容】
【００９１】
上記実施例１の場合、Ｖ（ｘ’）が３４５ｍ3／ｄ、Ｖ（ｙ’）が１１５ｍ3／ｄであるため、濃縮余剰汚泥の加熱殺菌温度は、Ｔ＝１５×（３４５／１１５）＋３５＝８０℃となる。
【手続補正５】
【補正対象書類名】明細書
【補正対象項目名】００９３
【補正方法】変更
【補正の内容】
【００９３】
＜比較例＞
図１に示す有機性排水の処理装置において、加熱殺菌装置５０を有さず、メタン発酵槽４０を加温するタイプの従来の処理装置を用いて処理を行った。生汚泥除去槽１０から分離される生汚泥、生汚泥濃縮機１５で濃縮される濃縮生汚泥、汚泥分離槽２５から分離される余剰汚泥、余剰汚泥濃縮機３０で濃縮される濃縮余剰汚泥の性状は、表１に示される通りである。
【手続補正６】
【補正対象書類名】図面
【補正対象項目名】図５
【補正方法】変更
【補正の内容】
【図５】
2018042972.tif 000013
【国際調査報告】
2018042972.tif 000014
2018042972.tif 000015
2018042972.tif 000016
2018042972.tif 000017